(57)【要約】【課題】水中渦および空気吸込渦の発生を抑制することができ、容易に製作することが可能なポンプを提供する。【解決手段】吸込口に渦抑制部材１２が設けられ、渦抑制部材１２は、上下両端が開口するとともに周囲が閉じており且つ平面視において扇形状に形成された筒体２７を有し、筒体２７の内部が吸込口に連通し、筒体２７は、円弧状に湾曲した湾曲板３１と、湾曲板３１の周方向における両端間に設けられた平板状のバッフル板３２とを有し、平面視において、湾曲板３１の湾曲中心が吸込口の軸心に実質的に一致し、湾曲板３１の半径が吸込口の半径以上である。【選択図】図５
2019157808.tif 000002
【特許請求の範囲】
【請求項１】
吸込口に渦抑制部が設けられ、
渦抑制部は、上下両端が開口し且つ平面視において扇形状に形成された筒体を有し、
筒体の内部が吸込口に連通し、
筒体は、円弧状に湾曲した湾曲板と、湾曲板の周方向における両端間に設けられた半径方向の平板状のバッフル板とを有し、
平面視において、湾曲板の湾曲中心が吸込口の軸心に実質的に一致し、
湾曲板の半径が吸込口の半径以上であることを特徴とするポンプ。
【請求項２】
渦抑制部は、湾曲板を含んだ仮想円筒の内部を仕切る仕切部材を有することを特徴とする請求項１記載のポンプ。
【請求項３】
仕切部材の上下方向の高さと筒体の上下方向の高さとが略同一であることを特徴とする請求項２記載のポンプ。
【請求項４】
湾曲板は半円弧形状に湾曲し、
バッフル板は湾曲板の周方向における両端間に設けられた直径方向の平板であり、
湾曲板を含んだ仮想円筒の径方向において、仕切部材がバッフル板に交差していることを特徴とする請求項２又は請求項３に記載のポンプ。
【請求項５】
ポンプ本体の吸込口に取付可能な渦抑制部材であって、
上下両端が開口し且つ平面視において扇形状に形成された筒体と、筒体を吸込口に取り付けるための取付部とを有し、
筒体は、円弧状に湾曲した湾曲板と、湾曲板の周方向における両端間に設けられた半径方向の平板状のバッフル板とを有し、
取付部は、平面視において、湾曲板の湾曲中心が吸込口の軸心に実質的に一致するように筒体を吸込口に取付可能であることを特徴とする渦抑制部材。
【請求項６】
湾曲板を含んだ仮想円筒の内部を仕切る仕切部材を有することを特徴とする請求項５記載の渦抑制部材。
【請求項７】
仕切部材の上下方向の高さと筒体の上下方向の高さとが略同一であることを特徴とする請求項６記載の渦抑制部材。
【請求項８】
湾曲板は半円弧形状に湾曲し、
バッフル板は湾曲板の周方向における両端間に設けられた直径方向の平板であり、
湾曲板を含んだ仮想円筒の径方向において、仕切部材がバッフル板に交差していることを特徴とする請求項６又は請求項７に記載の渦抑制部材。
【請求項９】
上記請求項１から請求項４のいずれか１項に記載のポンプを吸込槽に備えたポンプ設備であって、
ポンプの吸込口が、吸水槽内に設けられて、吸水槽の後壁面の手前側にあり、
湾曲板が吸水槽の後壁面に対向していることを特徴とするポンプ設備。
【発明の詳細な説明】
【技術分野】
【０００１】
本発明は、吸込口に渦抑制部を設けたポンプ、吸込口に取付可能な渦抑制部材、およびポンプを吸込槽に備えたポンプ設備に関する。
【背景技術】
【０００２】
従来、図２７，図２８に示すように、例えば雨水等の水１０１は、ポンプ場の吸水槽１０２に流入した後、ポンプ１０３によって吸い上げられて吸水槽１０２から下流側の処理施設に送られる。標準的な吸水槽１０２は一対の側壁面１０４と後壁面１０５と底面１０６とを有しており、ポンプ１０３の吸込口１０８は吸水槽１０２内に設けられて後壁面１０５の手前側にある。
【０００３】
尚、標準的な吸水槽１０２においては、通常、吸水槽１０２の底面１０６からポンプ１０３の吸込口１０８までの高さＨは揚水管１０９の口径Ａとほぼ同じに設計され、また、吸込口１０８の軸心１１０（中心）から吸水槽１０２の後壁面１０５までの距離Ｂは吸水槽１０２の流量に基づいて決定される。
【０００４】
ポンプ１０３を運転することにより、吸水槽１０２内の水１０１が、吸込口１０８からポンプ１０３内に流入し、ポンプ１０３内を通って下流側の処理施設に送られる。ポンプ１０３を運転しているとき、吸水槽１０２内に水中渦１１１と空気吸込渦１１２とが発生することがある。
【０００５】
尚、水中渦１１１とは、吸水槽１０２の底面１０６や側壁面１０４から発生した渦流の圧力が蒸気圧以下に低下して吸込口１０８に吸い込まれる渦である。また、空気吸込渦１１２とは、水面から吸込口１０８に向かって発生した渦流が水面上の空気を連行して吸込口１０８に吸い込まれる渦である。
【０００６】
このような水中渦１１１や空気吸込渦１１２が吸込口１０８からポンプ１０３内に吸い込まれると、ポンプ１０３の運転中に、激しい振動や大きな騒音が発生する虞があった。
【０００７】
図２９中のグラフＧ１は、標準的な吸水槽１０２において、吸込口１０８に接近する流速の分布（近寄流速分布）の状態を概念的に示したグラフであり、水面付近の流速Ｖ１と底面１０６付近の流速Ｖ２とが速くなる傾向にある。このような流速分布を示すのは、主に、以下のような流速の速い水面付近の流れＦ１と底面１０６付近の流れＦ２とが吸水槽１０２内に発生するためである。すなわち、水面付近の流れＦ１は、上流側からポンプ１０３の側方を通過し、後壁面１０５に沿って下降する下降流Ｆ１´となって吸込口１０８に吸い込まれるものである。また、底面１０６付近の流れＦ２は上流側からポンプ１０３に接近して吸込口１０８に吸い込まれるものである。
【０００８】
上記のような振動や騒音発生の対策として、例えば下記特許文献１には、水中渦１１１の発生を抑制する技術が開示されている。これは、図３０〜図３２に示すように、ポンプ１０３の吸込口１０８に渦防止装置１２０を備え、渦防止装置１２０は、吸込口１０８の直下に配置されるバッフル１２１と、平面形状が略半円形をした水中渦発生防止部材１２２とを有している。水中渦発生防止部材１２２は、多数の透孔１２３を形成したパンチングメタル製であり、バッフル１２１の外端に取り付けられて、吸水槽１０２の後壁面１０５に対向している。
【０００９】
また、バッフル１２１は十字状に交差する第１および第２バッフル板１２４，１２５を有している。これらバッフル板１２４，１２５はそれぞれ凹形状に形成されており、第１バッフル板１２４には、手前側１２６（上流側）と水中渦発生防止部材１２２の内側１２７とを連通させる手前側開口部１２８が形成されている。
【００１０】
ポンプ１０３を運転しているとき、吸込口１０８の後方領域や側方領域に旋回流１２９が発生しても、旋回流１２９は、水中渦１１１に発達する前段で、水中渦発生防止部材１２２の透孔１２３を通過し、この際に整流されて旋回成分が弱められ、水中渦１１１に発達するのが妨げられた状態で吸込口１０８からポンプ１０３の内部に吸い込まれる。これにより、水中渦１１１の発生が抑制される。
【先行技術文献】
【特許文献】
【００１１】
【特許文献１】特開２００４−２７０４７９
【発明の概要】
【発明が解決しようとする課題】
【００１２】
しかしながら上記図３０〜図３２に示した吸込口１０８に渦防止装置１２０を備えた従来形式では、水中渦発生防止部材１２２に多数の透孔１２３を形成する孔開け加工に手間がかかるといった問題がある。特に、ポンプ１０３の口径が大きくなると、それに応じて水中渦発生防止部材１２２も大型化し、水中渦発生防止部材１２２の板厚も増すため、一段と孔開け加工が困難になり、孔開け加工に手間を要した。
【００１３】
また、渦防止装置１２０を設けることで、旋回流１２９は旋回成分が弱められた状態で吸込口１０８に吸い込まれるが、水中渦発生防止部材１２２は多数の透孔１２３を有するパンチングメタル製であるため、図２９に示した下降流Ｆ１´を十分に弱めることができず、これにより、空気吸込渦１１２の発生を抑制する効果が不足するといった問題がある。尚、空気吸込渦１１２が発生した場合、空気吸込渦１１２が水中渦発生防止部材１２２の透孔１２３を通過して吸込口１０８から吸い込まれる場合があり、この場合、ポンプ１０３の運転中に、激しい振動や大きな騒音が発生する虞があった。
【００１４】
本発明は、水中渦および空気吸込渦の発生を抑制することができ、容易に製作することが可能なポンプおよび渦抑制部材を提供することを目的とする。
【課題を解決するための手段】
【００１５】
上記目的を達成するために、本第１発明におけるポンプは、吸込口に渦抑制部が設けられ、
渦抑制部は、上下両端が開口し且つ平面視において扇形状に形成された筒体を有し、
筒体の内部が吸込口に連通し、
筒体は、円弧状に湾曲した湾曲板と、湾曲板の周方向における両端間に設けられた半径方向の平板状のバッフル板とを有し、
平面視において、湾曲板の湾曲中心が吸込口の軸心に実質的に一致し、
湾曲板の半径が吸込口の半径以上であるものである。
【００１６】
これによると、渦抑制部の湾曲板を吸水槽の後壁面に対向させてポンプを運転することにより、湾曲板は、手前上流側からポンプの側方を通過し、ポンプの背後から後壁面に沿って下降した後、吸込口に吸い込まれる流れ（水面付近の流れ）に対する抵抗となる。このため、吸水槽の後壁面側から吸込口に吸い込まれる水量が吸水槽の手前上流側から吸込口に吸い込まれる水量よりも少なくなって、吸水槽の後壁面側から吸込口に吸い込まれる水の流速が吸水槽の手前上流側から吸込口に吸い込まれる水の流速よりも低く抑えられる。これにより、吸込口付近の水の旋回流速が水中渦発生限界流速よりも十分に低下するため、水中渦の発生が抑制される。
【００１７】
尚、水中渦発生限界流速とは、吸水槽内の流速を次第に増加させて水中渦の発生が認められたときの流速である。
【００１８】
また、上記のように湾曲板がポンプの背後から後壁面に沿って下降する流れに対する抵抗となることで、ポンプの手前上流側の水面付近から下降して吸込口に吸い込まれる流れが増加し、上記ポンプの背後から後壁面に沿って下降する流れが十分に弱まるため、空気吸込渦の発生も抑制される。これにより、運転中のポンプから激しい振動や大きな騒音が発生するのを防止することができる。
【００１９】
また、吸込口に流れ込む直前の水流がバッフル板にぶつかることにより、旋回流の発生が妨げられて、水中渦の発生がさらに抑制される。
【００２０】
また、湾曲板に多数の透孔を形成するための孔開け加工が不要になるため、渦抑制部を容易に製作することができる。
【００２１】
本第２発明におけるポンプは、渦抑制部は、湾曲板を含んだ仮想円筒の内部を仕切る仕切部材を有するものである。
【００２２】
これによると、吸込口に流れ込む直前の水流の旋回が仕切部材によってさらに抑制される。これにより、渦の発生をより一層抑制することができる。
【００２３】
本第３発明におけるポンプは、仕切部材の上下方向の高さと筒体の上下方向の高さとが略同一であるものである。
【００２４】
これによると、水に混入した糸状の長尺物が仕切部材に巻き付き難くなる。
【００２５】
本第４発明におけるポンプは、湾曲板は半円弧形状に湾曲し、
バッフル板は湾曲板の周方向における両端間に設けられた直径方向の平板であり、
湾曲板を含んだ仮想円筒の径方向において、仕切部材がバッフル板に交差しているものである。
【００２６】
これによると、吸込口に流れ込む直前の水流がバッフル板にぶつかることにより、旋回流の発生が妨げられて、水中渦の発生が抑制される。
【００２７】
本第５発明は、ポンプ本体の吸込口に取付可能な渦抑制部材であって、
上下両端が開口し且つ平面視において扇形状に形成された筒体と、筒体を吸込口に取り付けるための取付部とを有し、
筒体は、円弧状に湾曲した湾曲板と、湾曲板の周方向における両端間に設けられた半径方向の平板状のバッフル板とを有し、
取付部は、平面視において、湾曲板の湾曲中心が吸込口の軸心に実質的に一致するように筒体を吸込口に取付可能であるものである。
【００２８】
これによると、取付部を吸込口に接合することにより、渦抑制部材の筒体が吸込口に取り付けられ、筒体の内部が吸込口に連通する。
【００２９】
本第６発明における渦抑制部材は、湾曲板を含んだ仮想円筒の内部を仕切る仕切部材を有するものである。
【００３０】
本第７発明における渦抑制部材は、仕切部材の上下方向の高さと筒体の上下方向の高さとが略同一であるものである。
【００３１】
本第８発明における渦抑制部材は、湾曲板は半円弧形状に湾曲し、
バッフル板は湾曲板の周方向における両端間に設けられた直径方向の平板であり、
湾曲板を含んだ仮想円筒の径方向において、仕切部材がバッフル板に交差しているものである。
【００３２】
本第９発明は、上記第１発明から第４発明のいずれか１項に記載のポンプを吸込槽に備えたポンプ設備であって、
ポンプの吸込口が、吸水槽内に設けられて、吸水槽の後壁面の手前側にあり、
湾曲板が吸水槽の後壁面に対向しているものである。
【発明の効果】
【００３３】
以上のように本発明によると、渦抑制部の扇形状の筒体の湾曲板を吸水槽の後壁面に対向させてポンプを運転することにより、吸水槽の後壁面側から吸込口に吸い込まれる水量が吸水槽の手前上流側から吸込口に吸い込まれる水量よりも少なくなって、吸水槽の後壁面側から吸込口に吸い込まれる水の流速が吸水槽の手前上流側から吸込口に吸い込まれる水の流速よりも低く抑えられる。これにより、吸込口付近の水の旋回流速が水中渦発生限界流速よりも十分に低下する。また、吸込口に流れ込む直前の水流がバッフル板にぶつかることにより、旋回流の発生が妨げられる。これらのことにより、水中渦の発生が抑制される。
また、ポンプの背後から後壁面に沿って下降する流れが弱まるため、空気吸込渦の発生も抑制される。これにより、運転中のポンプから激しい振動や大きな騒音が発生するのを防止することができる。
【００３４】
また、湾曲板に多数の透孔を形成するための孔開け加工が不要になるため、渦抑制部を容易に製作することができ、ポンプの製作が容易になる。
【図面の簡単な説明】
【００３５】
【図１】本発明の第１の実施の形態におけるポンプの側面図である。
【図２】図１におけるＸ−Ｘ矢視図である。
【図３】同、ポンプの吸込ベルと渦抑制部材との取付部分の拡大断面図である。
【図４】同、ポンプの渦抑制部材を斜め上から見たときの図である。
【図５】同、ポンプの渦抑制部材を斜め下から見たときの図である。
【図６】同、ポンプの渦抑制部材の平面図である。
【図７】同、ポンプの渦抑制部材の縦断面図である。
【図８】同、ポンプの渦抑制部材の横断面図である。
【図９】同、ポンプを運転しているときの吸水槽内における水流と近寄流速分布を示す図である。
【図１０】本発明の第２の実施の形態におけるポンプの渦抑制部材の平面図である。
【図１１】同、渦抑制部材を斜め上から見たときの図である。
【図１２】同、渦抑制部材を斜め下から見たときの図である。
【図１３】本発明の第３の実施の形態におけるポンプの渦抑制部材の平面図である。
【図１４】同、渦抑制部材を斜め上から見たときの図である。
【図１５】同、渦抑制部材を斜め下から見たときの図である。
【図１６】本発明の第４の実施の形態におけるポンプの渦抑制部材の平面図である。
【図１７】同、渦抑制部材を斜め上から見たときの図である。
【図１８】同、渦抑制部材を斜め下から見たときの図である。
【図１９】同、渦抑制部材の横断面図である。
【図２０】同、渦抑制部材の縦断面図である。
【図２１】本発明の第５の実施の形態におけるポンプの渦抑制部材の平面図である。
【図２２】同、渦抑制部材を斜め上から見たときの図である。
【図２３】同、渦抑制部材を斜め下から見たときの図である。
【図２４】本発明の第６の実施の形態におけるポンプの渦抑制部材の平面図である。
【図２５】同、渦抑制部材を斜め上から見たときの図である。
【図２６】同、渦抑制部材を斜め下から見たときの図である。
【図２７】従来のポンプと吸水槽の概略図である。
【図２８】図２７におけるＸ−Ｘ矢視図である。
【図２９】同、ポンプを運転しているときの吸水槽内における水流と近寄流速分布を示すグラフである。
【図３０】従来の渦防止装置を備えたポンプの図である。
【図３１】図３０におけるＸ−Ｘ矢視図である。
【図３２】同、渦防止装置の斜視図である。
【発明を実施するための形態】
【００３６】
以下、本発明における実施の形態を、図面を参照して説明する。
【００３７】
（第１の実施の形態）
第１の実施の形態では、図１，図２に示すように、１０はポンプ場に設置されたポンプ設備であり、ポンプ設備１０は、吸水槽２と、吸水槽２に流入した雨水等の水３を吸い上げて下流側の処理施設に送るポンプ１とを有している。
【００３８】
吸水槽２は、標準流速オープン形であり、左右一対の側壁面５と後壁面７と底面８とを有しており、水３は手前上流側９から流入する。
【００３９】
ポンプ１は、立軸ポンプであり、ポンプ本体１１と渦抑制部材１２とを有している。ポンプ本体１１は、鉛直方向に延びるケーシング１４と、ケーシング１４内に挿通された回転自在な主軸１５と、主軸１５と共に回転する羽根車１６と、主軸１５を回転させる回転駆動装置１７とを有している。
【００４０】
ケーシング１４は、直管状の揚水管１９と、揚水管１９の下端に連結されたポンプケース２０と、ポンプケース２０の下端に連結された吸込ベル２１と、揚水管１９の上端に連結された吐出エルボ２２とを有している。図１，図３に示すように、吸込ベル２１は、下端に、吸込口２３とフランジ２４とを有している。尚、吸込口２３は、吸水槽２内に設けられて、後壁面７の手前側（上流側）にある。
【００４１】
図４〜図７に示すように、渦抑制部材１２は、吸込口２３に着脱自在に取り付けられており、筒体２７と、筒体２７を吸込口２３に取り付けるための取付フランジ２９（取付部の一例）とを有している。
【００４２】
筒体２７は、上下両端が開口するとともに周囲が閉じており、且つ、平面視において半円形状（扇形状の一例）に形成されている。筒体２７の内部が吸込口２３に連通している。また、筒体２７は、半円弧形状（円弧状の一例）に湾曲した湾曲板３１と、湾曲板３１の周方向における両端間に設けられた直径方向Ｃの平板状のバッフル板３２とを有している。湾曲板３１は、閉塞された板であり、水３が通過する貫通した複数の透孔を有していない。
【００４３】
また、図７に示すように、湾曲板３１の上下方向の高さｈ２とバッフル板３２の上下方向の高さｈ３とが略同一に設定されている。尚、湾曲板３１の高さｈ２とバッフル板３２の高さｈ３とを同一にしてもよい。
【００４４】
取付フランジ２９は、複数のねじ孔３４を有する円環状の部材であり、湾曲板３１の上端と、径方向におけるバッフル板３２の両端部の上端とにわたって取り付けられている。図１，図３に示すように、複数のボルト３５を用いて、取付フランジ２９を吸込ベル２１のフランジ２４に接合することにより、渦抑制部材１２は、湾曲板３１を吸水槽２の後壁面７に対向させて、吸込ベル２１の下端すなわち吸込口２３に取り付けられる。
【００４５】
尚、図６に示すように、平面視において、湾曲板３１の湾曲中心３８が吸込口２３の軸心３９（図１，図３参照）に実質的に一致している。また、図３，図８に示すように、湾曲板３１の内半径Ｒ１は吸込口２３の内半径Ｒ２以上に設定されている。
【００４６】
また、図１に示すように、標準的な吸水槽２においては、吸水槽２の底面８から吸込口２３までの高さＨは揚水管１９の口径Ａとほぼ同じに設計されるのが通常であり、その場合には、渦抑制部材１２の上下方向の高さｈは上記底面８から吸込口２３までの高さＨの３０〜７０％に設定される。尚、標準的ではないような吸水槽では、上記高さＨと口径Ａとが異なる場合もある。
【００４７】
以下、上記構成における作用を説明する。
【００４８】
図９中のグラフＧ２は、吸込口２３に渦抑制部材１２を取り付けたときの、吸水槽２内における近寄流速分布の状態を概念的に示したグラフである。これによると、ポンプ１を運転することにより、羽根車１６（図１参照）が回転し、吸水槽２内の水３が、吸込口２３からケーシング１４内に吸い込まれ、吐出エルボ２２（図１参照）を通って下流側の処理施設に送られる。この際、渦抑制部材１２の湾曲板３１は、水面付近の上流側からポンプ１のケーシング１４の側方を通過し、ケーシング１４の背後から後壁面７に沿って下降した後、吸込口２３に吸い込まれる流れＦ１，Ｆ１´に対する抵抗となる。
【００４９】
このため、水面付近の水３の流れＦ１の速度Ｖ１が遅くなり、ケーシング１４の背後から後壁面７に沿って下降する下降流Ｆ１´の速度が低下して、吸込口２３付近の渦度が小さくなるため、水中渦の発生が抑制される。
【００５０】
さらに、吸込口２３に流れ込む直前の水３がバッフル板３２にぶつかることにより、旋回流の発生が妨げられて、水中渦の発生がより一層効果的に抑制される。
【００５１】
また、上記のように渦抑制部材１２の湾曲板３１がケーシング１４の背後から後壁面７に沿って下降する下降流Ｆ１´に対する抵抗となることで、ケーシング１４の手前上流側の水面付近から下降して吸込口２３に吸い込まれる流れＦ３が増加し、上記ケーシング１４の背後から後壁面７に沿って下降する下降流Ｆ１´が弱まるため、空気吸込渦の発生も抑制される。これにより、運転中のポンプ１から激しい振動や大きな騒音が発生するのを防止することができる。
【００５２】
また、湾曲板３１に多数の透孔を形成するための孔開け加工が不要になるため、渦抑制部材１２を容易に製作することができ、ポンプ１の製作が容易になる。
【００５３】
また、図７に示すように、湾曲板３１の高さｈ２とバッフル板３２の高さｈ３とが略同一に設定されているため、水３に混入した糸状の長尺物が仕切部材２８に巻き付き難くなる。
【００５４】
（第２の実施の形態）
第２の実施の形態では、図１０〜図１２に示すように、筒体２７は、平面視において、中心角αが１８０°未満（例えば１２０°等）の扇形状に形成されている。また、筒体２７は、円弧状に湾曲した湾曲板３１と、湾曲板３１の周方向における両端間に設けられたバッフル板３２とを有している。尚、バッフル板３２は湾曲板３１の湾曲中心３８においてＶ字形状に屈曲している。これによると、先述した第１の実施の形態と同様の作用および効果が得られる。
【００５５】
（第３の実施の形態）
第３の実施の形態は、図１３〜図１５に示すように、筒体２７は、平面視において、中心角αが１８０°を越えた（例えば２４０°等の）扇形状に形成されている。また、筒体２７は、円弧状に湾曲した湾曲板３１と、湾曲板３１の周方向における両端間に設けられたバッフル板３２とを有している。尚、バッフル板３２は湾曲板３１の湾曲中心３８においてＶ字形状に屈曲している。これによると、先述した第１の実施の形態と同様の作用および効果が得られる。
【００５６】
（第４の実施の形態）
第４の実施の形態は、図１６〜図１８に示すように、上記第１の実施の形態の渦抑制部材１２に仕切部材２８を加えたものである。すなわち、渦抑制部材１２は、吸込口２３に着脱自在に取り付けられており、筒体２７と、仕切部材２８と、筒体２７を吸込口２３に取り付けるための取付フランジ２９（取付部の一例）とを有している。
【００５７】
筒体２７は、上下両端が開口するとともに周囲が閉じており、且つ、平面視において半円形状（扇形状の一例）に形成されている。筒体２７の内部が吸込口２３に連通している。また、筒体２７は、半円弧形状（円弧状の一例）に湾曲した湾曲板３１と、湾曲板３１の周方向における両端間に設けられた直径方向Ｃの平板状のバッフル板３２とを有している。湾曲板３１は、閉塞された板であり、水３が通過する貫通した複数の透孔を有していない。
【００５８】
図１９に示すように、仕切部材２８は、湾曲板３１を含んだ仮想の円筒３３の内部を仕切る平板状の部材であり、径方向においてバッフル板３２に直交している。これにより、平面視において仕切部材２８とバッフル板３２とは十字形状に交差している。
【００５９】
尚、仕切部材２８の前半分は筒体２７の前方に突出し、仕切部材２８の後半分は筒体２７の内部を二つに仕切っている。また、図２０に示すように、仕切部材２８の上下方向の高さｈ１と湾曲板３１の上下方向の高さｈ２とバッフル板３２の上下方向の高さｈ３とが同一又は略同一に設定されている。
【００６０】
取付フランジ２９は、複数のねじ孔３４を有する円環状の部材であり、湾曲板３１の上端と、径方向におけるバッフル板３２の両端部の上端と、径方向における仕切部材２８の両端部の上端とにわたって取り付けられている。図１，図３に示すように、複数のボルト３５を用いて、取付フランジ２９を吸込ベル２１のフランジ２４に接合することにより、渦抑制部材１２は、湾曲板３１を吸水槽２の後壁面７に対向させて、吸込ベル２１の下端すなわち吸込口２３に取り付けられる。
【００６１】
尚、図１６に示すように、平面視において、湾曲板３１の湾曲中心３８が吸込口２３の軸心３９（図１，図３参照）に実質的に一致している。また、図３，図１９に示すように、湾曲板３１の内半径Ｒ１は吸込口２３の内半径Ｒ２以上に設定されている。
【００６２】
これによると、先述した第１の実施の形態と同様の作用および効果が得られる。また、吸込口２３に流れ込む直前の水流の旋回が仕切部材２８によって抑制される。これにより、渦の発生をより一層抑制することができる。また、図２０に示すように、仕切部材２８の高さｈ１と湾曲板３１の高さｈ２とバッフル板３２の高さｈ３とが同一又は略同一に設定されているため、水３に混入した糸状の長尺物が仕切部材２８に巻き付き難くなる。
【００６３】
（第５の実施の形態）
第５の実施の形態は、図２１〜図２３に示すように、上記第２の実施の形態の渦抑制部材１２に仕切部材２８を備えたものである。仕切部材２８は、湾曲板３１を含んだ仮想の円筒（図示省略）の内部を仕切る平板状の部材であり、バッフル板３２の屈曲部から筒体２７の前方（手前上流側）へ突出している。これによると、先述した第１の実施の形態と同様の作用および効果が得られる。
【００６４】
（第６の実施の形態）
第６の実施の形態は、図２４〜図２６に示すように、上記第３の実施の形態の渦抑制部材１２に仕切部材２８を備えたものである。仕切部材２８は、筒体２７の内部を二つに仕切る平板状の部材であり、バッフル板３２の屈曲部と湾曲板３１との間に設けられている。これによると、先述した第１の実施の形態と同様の作用および効果が得られる。
【００６５】
上記各実施の形態では、図１に示すように、ポンプ１の一例として立軸ポンプを挙げたが、立軸ポンプに限定されるものではなく、例えば横軸ポンプ等であってもよい。また、吸水槽２に流入した雨水等の水３を吸い上げるポンプ１を挙げたが、雨水等に限定されるものではない。
【００６６】
上記各実施の形態では、図３に示すように、ボルト３５を用いて、渦抑制部材１２を吸込ベル２１の下端に着脱自在に取り付けているが、渦抑制部材１２を溶接等によって吸込ベル２１の下端に一体的に取り付けてもよい。
【符号の説明】
【００６７】
１        ポンプ
２        吸水槽
７        後壁面
１２      渦抑制部材
２３      吸込口
２７      筒体
２８      仕切部材
２９      取付フランジ（取付部）
３１      湾曲板
３２      バッフル板
３３      仮想の円筒
３８      湾曲中心
３９      軸心
ｈ１      仕切部材の高さ
ｈ２      湾曲板の高さ
ｈ３      バッフル板の高さ
Ｒ１      湾曲板の内半径
Ｒ２      吸込口の内半径
【図１】
2019157808.tif 000003
【図２】
2019157808.tif 000004
【図３】
2019157808.tif 000005
【図４】
2019157808.tif 000006
【図５】
2019157808.tif 000007
【図６】
2019157808.tif 000008
【図７】
2019157808.tif 000009
【図８】
2019157808.tif 000010
【図９】
2019157808.tif 000011
【図１０】
2019157808.tif 000012
【図１１】
2019157808.tif 000013
【図１２】
2019157808.tif 000014
【図１３】
2019157808.tif 000015
【図１４】
2019157808.tif 000016
【図１５】
2019157808.tif 000017
【図１６】
2019157808.tif 000018
【図１７】
2019157808.tif 000019
【図１８】
2019157808.tif 000020
【図１９】
2019157808.tif 000021
【図２０】
2019157808.tif 000022
【図２１】
2019157808.tif 000023
【図２２】
2019157808.tif 000024
【図２３】
2019157808.tif 000025
【図２４】
2019157808.tif 000026
【図２５】
2019157808.tif 000027
【図２６】
2019157808.tif 000028
【図２７】
2019157808.tif 000029
【図２８】
2019157808.tif 000030
【図２９】
2019157808.tif 000031
【図３０】
2019157808.tif 000032
【図３１】
2019157808.tif 000033
【図３２】
2019157808.tif 000034